(57)【特許請求の範囲】
【請求項１】
記録媒体に画像を記録する記録手段と、
装置間の距離が所定の通信可能距離内となる場合に確立される第１無線通信を行うための記録装置側第１通信手段と、
送信元及び受信元の装置のそれぞれに係る通信情報に基づいて確立される、前記第１無線通信よりも通信速度が速い第２無線通信を行うための記録装置側第２通信手段と、
画像ファイルを記憶し、且つ、この画像ファイルに、当該画像ファイルを識別するファイル識別情報、及び当該画像ファイルに基づいて画像を記録する際に設定可能な記録設定値を関連付けて記憶する記録装置側記憶手段と、
記録装置側制御手段と、
を備え、
前記記録装置側制御手段は、
ファイル識別情報及び記録設定値を指定した記録要求を、前記第１無線通信により携帯端末から受信する記録装置側第１受信処理と、
前記第２無線通信における自身の通信情報を前記第１無線通信により前記携帯端末へ送信する記録装置側送信処理、及び前記第２無線通信における前記携帯端末の通信情報を前記第１無線通信により受信する記録装置側第２受信処理の少なくとも一方と、
前記携帯端末から受信した記録要求により指定される、ファイル識別情報及び記録設定値に関連づけられた画像ファイルが、前記記録装置側記憶手段に記憶されているか否かを判断する判断処理と、
前記記録装置側送信処理において自身の通信情報を送信した、及び前記記録装置側第２受信処理によりその通信情報を受信した、少なくとも一方の携帯端末との間で前記第２無線通信を確立する通信確立処理と、
前記判断処理において、前記記録要求により指定される、ファイル識別情報及び記録設定値に関連づけられた画像ファイルが前記記録装置側記憶手段に記憶されていないと判断した場合に、当該ファイル識別情報により識別される画像ファイルを、前記通信確立処理において確立した前記第２無線通信により前記携帯端末から受信する記録装置側第３受信処理と、
前記記録装置側第１受信処理において受信したファイル識別情報により識別される画像ファイル、及び記録設定値に基づいて前記記録手段に画像を記録させる記録処理と、
を実行し、
さらに、
前記記録装置側制御手段は、
前記記録処理において、前記記録要求によって指定されたファイル識別情報により識別される画像ファイルに、当該記録要求によって指定された記録設定値を反映して得られる画像ファイルであり、画像を構成する画素ごとに階調値情報を含む画素情報を示すデータである設定反映画像ファイルが示す画像を前記記録手段に記録させ、
前記設定反映画像ファイルを、当該設定反映画像ファイルを識別するファイル識別情報、及び当該設定反映画像ファイルに基づいて画像を記録する際に、設定可能な記録設定値に関連づけて前記記録装置側記憶手段に記憶する第１記憶処理を実行し、
前記第１記憶処理において、前記設定反映画像ファイルにおける前記画素情報を変更せずに当該設定反映画像ファイルを用いて前記記録処理を行える記録設定値、及び、前記設定反映画像ファイルにおける前記画素情報が示す値に所定の演算を施すことにより得られる画像ファイルを用いて前記記録処理を行える記録設定値を、前記設定反映画像ファイルに関連づけて前記記録装置側記憶手段に記憶することを特徴とする画像記録装置。
【請求項２】
記録媒体に画像を記録する記録手段と、
装置間の距離が所定の通信可能距離内となる場合に確立される第１無線通信を行うための記録装置側第１通信手段と、
送信元及び受信元の装置のそれぞれに係る通信情報に基づいて確立される、前記第１無線通信よりも通信速度が速い第２無線通信を行うための記録装置側第２通信手段と、
画像ファイルを記憶し、且つ、この画像ファイルに、当該画像ファイルを識別するファイル識別情報、及び当該画像ファイルに基づいて画像を記録する際に設定可能な記録設定値を関連付けて記憶する記録装置側記憶手段と、
記録装置側制御手段と、
を備え、
前記記録装置側制御手段は、
ファイル識別情報及び記録設定値を指定した記録要求を、前記第１無線通信により携帯端末から受信する記録装置側第１受信処理と、
前記第２無線通信における自身の通信情報を前記第１無線通信により前記携帯端末へ送信する記録装置側送信処理、及び前記第２無線通信における前記携帯端末の通信情報を前記第１無線通信により受信する記録装置側第２受信処理の少なくとも一方と、
前記携帯端末から受信した記録要求により指定される、ファイル識別情報及び記録設定値に関連づけられた画像ファイルが、前記記録装置側記憶手段に記憶されているか否かを判断する判断処理と、
前記記録装置側送信処理において自身の通信情報を送信した、及び前記記録装置側第２受信処理によりその通信情報を受信した、少なくとも一方の携帯端末との間で前記第２無線通信を確立する通信確立処理と、
前記判断処理において、前記記録要求により指定される、ファイル識別情報及び記録設定値に関連づけられた画像ファイルが前記記録装置側記憶手段に記憶されていないと判断した場合に、当該ファイル識別情報により識別される画像ファイルを、前記通信確立処理において確立した前記第２無線通信により前記携帯端末から受信する記録装置側第３受信処理と、
前記記録装置側第１受信処理において受信したファイル識別情報により識別される画像ファイル、及び記録設定値に基づいて前記記録手段に画像を記録させる記録処理と、
を実行し、
さらに、
前記記録装置側制御手段は、
前記記録処理において、前記記録要求によって指定されたファイル識別情報により識別される画像ファイルに、当該記録要求によって指定された記録設定値を反映して得られる画像ファイルである設定反映画像ファイルが示す画像を前記記録手段に記録させ、
前記設定反映画像ファイルを、当該設定反映画像ファイルを識別するファイル識別情報、及び当該設定反映画像ファイルに基づいて画像を記録する際に、設定可能な記録設定値に関連づけて前記記録装置側記憶手段に記憶する第１記憶処理と、
前記携帯端末から記憶指令を受信することに応じて、前記記録装置側第３受信処理において受信する画像ファイルを、当該画像ファイルを識別するファイル識別情報、及び全ての記録設定値に関連づけて前記記録装置側記憶手段に記憶する第２記憶処理と、
を実行し、
前記記録装置側記憶手段に記憶された画像ファイルのうち、前記第１記憶処理において記憶された画像ファイルについては時間経過に応じて自動的に消去する一方、前記記録装置側記憶手段に記憶された前記画像ファイルのうち、前記第２記憶処理において記憶されたファイルについては時間経過に応じた自動的な消去を行わないことを特徴とする画像記録装置。
【請求項３】
前記記録装置側制御手段は、
前記携帯端末から受信した前記画像ファイルにレンダリング処理を施すことが可能であり、
前記記録装置側第３受信処理により受信する画像ファイルは、レンダリング処理前のファイルであり、
前記設定反映画像ファイルは、レンダリング処理後の画像ファイルであることを特徴とする請求項１又は２に記載の画像記録装置。
【請求項４】
前記記録装置側制御手段は、
前記判断処理において、前記記録要求により指定される、ファイル識別情報及び記録設定値に関連づけられた画像ファイルが前記記録装置側記憶手段に記憶されていると判断した場合には、
前記記録処理において、この記録装置側記憶手段に記憶されている、前記記録要求により指定される、ファイル識別情報及び記録設定値に関連づけられた画像ファイルに基づいて前記記録手段に画像を記録させることを特徴とする請求項１〜３のいずれか１項に記載の画像記録装置。
【請求項５】
携帯端末と、記録媒体に画像を記録する画像記録装置とを有する画像記録システムであって、
前記画像記録装置は、
記録媒体に画像を記録する記録手段と、
装置間の距離が所定の通信可能距離内となる場合に確立される第１無線通信を行うための記録装置側第１通信手段と、
送信元及び受信元の装置のそれぞれに係る通信情報に基づいて確立される、前記第１無線通信よりも通信速度が速い第２無線通信を行うための記録装置側第２通信手段と、
画像ファイルを記憶し、且つ、この画像ファイルに、当該画像ファイルを識別するファイル識別情報、及び当該画像ファイルに基づいて画像を記録する際に設定可能な記録設定値を関連付けて記憶する記録装置側記憶手段と、
記録装置側制御手段と、
を備え、
前記記録装置側制御手段は、
ファイル識別情報及び記録設定値を指定した記録要求を、前記第１無線通信により前記携帯端末から受信する記録装置側第１受信処理と、
前記第２無線通信における自身の通信情報を前記第１無線通信により前記携帯端末へ送信する記録装置側第１送信処理、及び前記第２無線通信における前記携帯端末の通信情報を前記第１無線通信により受信する記録装置側第２受信処理の少なくとも一方と、
前記記録装置側第１送信処理において自身の通信情報を送信した、及び前記記録装置側第２受信処理によりその通信情報を受信した、少なくとも一方の携帯端末との間で前記第２無線通信を確立する記録装置側通信確立処理と、
前記携帯端末から受信した記録要求により指定される、ファイル識別情報及び記録設定値に関連づけられた画像ファイルが、前記記録装置側記憶手段に記憶されているか否かを判断する判断処理と、
前記判断処理において、前記記録要求により指定される、ファイル識別情報及び記録設定値に関連づけられた画像ファイルが前記記録装置側記憶手段に記憶されていないと判断した場合に、当該ファイル識別情報により識別される画像ファイルの送信要求を、前記第１無線通信、及び前記記録装置側通信確立処理において確立した前記第２無線通信の何れかにより前記携帯端末に送信する記録装置側第２送信処理と、
前記送信要求に応じて前記携帯端末から送信される画像ファイルを、前記記録装置側通信確立処理において確立した前記第２無線通信により受信する記録装置側第３受信処理と、
前記記録装置側第１受信処理において受信したファイル識別情報により識別される画像ファイル、及び記録設定値に基づいて前記記録手段に画像を記録させる記録処理と、
を実行し、
さらに、
前記記録装置側制御手段は、
前記記録処理において、前記記録要求によって指定されたファイル識別情報により識別される画像ファイルに、当該記録要求によって指定された記録設定値を反映して得られる画像ファイルであり、画像を構成する画素ごとに階調値情報を含む画素情報を示すデータである設定反映画像ファイルが示す画像を前記記録手段に記録させ、
前記設定反映画像ファイルを、当該設定反映画像ファイルを識別するファイル識別情報、及び当該設定反映画像ファイルに基づいて画像を記録する際に、設定可能な記録設定値に関連づけて前記記録装置側記憶手段に記憶する第１記憶処理を実行し、
前記第１記憶処理において、前記設定反映画像ファイルにおける前記画素情報を変更せずに当該設定反映画像ファイルを用いて前記記録処理を行える記録設定値、及び、前記設定反映画像ファイルにおける前記画素情報が示す値に所定の演算を施すことにより得られる画像ファイルを用いて前記記録処理を行える記録設定値を、前記設定反映画像ファイルに関連づけて前記記録装置側記憶手段に記憶し、
前記携帯端末は、
画像ファイルを、当該画像ファイルを識別するファイル識別情報に関連づけて記憶する携帯端末側記憶手段と、
前記第１無線通信を行うための携帯端末側第１通信手段と、
前記第２無線通信を行うための携帯端末側第２通信手段と、
携帯端末側制御手段と
を備え、
前記携帯端末側制御手段は、
前記第２無線通信における前記携帯端末の通信情報を前記第１無線通信により前記画像記録装置に送信する携帯端末側第１送信処理、及び前記第２無線通信における前記画像記録装置の通信情報を前記第１無線通信により前記画像記録装置から受信する携帯端末側第１受信処理の少なくとも一方と、
前記携帯端末側第１送信処理において自身の通信情報を送信した、及び前記携帯端末側第１受信処理によりその通信情報を受信した、少なくとも一方の画像記録装置との間で前記第２無線通信を確立する携帯端末側通信確立処理と、
前記携帯端末側記憶手段に記憶された前記画像ファイルを識別するファイル識別情報及び記録設定値を指定した記録要求を、前記第１無線通信により前記画像記録装置に送信する携帯端末側第２送信処理と、
前記送信要求を前記画像記録装置から前記第１無線通信、及び前記携帯端末側通信確立処理において確立した前記第２無線通信の何れかにより受信した場合に、当該送信要求に係る画像ファイルを、前記携帯端末側通信確立処理において確立した前記第２無線通信により前記画像記録装置に送信する携帯端末側第３送信処理と
を実行することを特徴とする画像記録システム。
【請求項６】
携帯端末と、記録媒体に画像を記録する画像記録装置とを有する画像記録システムであって、
前記画像記録装置は、
記録媒体に画像を記録する記録手段と、
装置間の距離が所定の通信可能距離内となる場合に確立される第１無線通信を行うための記録装置側第１通信手段と、
送信元及び受信元の装置のそれぞれに係る通信情報に基づいて確立される、前記第１無線通信よりも通信速度が速い第２無線通信を行うための記録装置側第２通信手段と、
画像ファイルを記憶し、且つ、この画像ファイルに、当該画像ファイルを識別するファイル識別情報、及び当該画像ファイルに基づいて画像を記録する際に設定可能な記録設定値を関連付けて記憶する記録装置側記憶手段と、
記録装置側制御手段と、
を備え、
前記記録装置側制御手段は、
ファイル識別情報及び記録設定値を指定した記録要求を、前記第１無線通信により前記携帯端末から受信する記録装置側第１受信処理と、
前記第２無線通信における自身の通信情報を前記第１無線通信により前記携帯端末へ送信する記録装置側第１送信処理、及び前記第２無線通信における前記携帯端末の通信情報を前記第１無線通信により受信する記録装置側第２受信処理の少なくとも一方と、
前記記録装置側第１送信処理において自身の通信情報を送信した、及び前記記録装置側第２受信処理によりその通信情報を受信した、少なくとも一方の携帯端末との間で前記第２無線通信を確立する記録装置側通信確立処理と、
前記携帯端末から受信した記録要求により指定される、ファイル識別情報及び記録設定値に関連づけられた画像ファイルが、前記記録装置側記憶手段に記憶されているか否かを判断する判断処理と、
前記判断処理において、前記記録要求により指定される、ファイル識別情報及び記録設定値に関連づけられた画像ファイルが前記記録装置側記憶手段に記憶されていないと判断した場合に、当該ファイル識別情報により識別される画像ファイルの送信要求を、前記第１無線通信、及び前記記録装置側通信確立処理において確立した前記第２無線通信の何れかにより前記携帯端末に送信する記録装置側第２送信処理と、
前記送信要求に応じて前記携帯端末から送信される画像ファイルを、前記記録装置側通信確立処理において確立した前記第２無線通信により受信する記録装置側第３受信処理と、
前記記録装置側第１受信処理において受信したファイル識別情報により識別される画像ファイル、及び記録設定値に基づいて前記記録手段に画像を記録させる記録処理と、
を実行し、
さらに、
前記記録装置側制御手段は、
前記記録処理において、前記記録要求によって指定されたファイル識別情報により識別される画像ファイルに、当該記録要求によって指定された記録設定値を反映して得られる画像ファイルである設定反映画像ファイルが示す画像を前記記録手段に記録させ、
前記設定反映画像ファイルを、当該設定反映画像ファイルを識別するファイル識別情報、及び当該設定反映画像ファイルに基づいて画像を記録する際に、設定可能な記録設定値に関連づけて前記記録装置側記憶手段に記憶する第１記憶処理と、
前記携帯端末から記憶指令を受信することに応じて、前記記録装置側第３受信処理において受信する画像ファイルを、当該画像ファイルを識別するファイル識別情報、及び全ての記録設定値に関連づけて前記記録装置側記憶手段に記憶する第２記憶処理と、
を実行し、
前記記録装置側記憶手段に記憶された画像ファイルのうち、前記第１記憶処理において記憶された画像ファイルについては時間経過に応じて自動的に消去する一方、前記記録装置側記憶手段に記憶された前記画像ファイルのうち、前記第２記憶処理において記憶されたファイルについては時間経過に応じた自動的な消去を行わず、
前記携帯端末は、
画像ファイルを、当該画像ファイルを識別するファイル識別情報に関連づけて記憶する携帯端末側記憶手段と、
前記第１無線通信を行うための携帯端末側第１通信手段と、
前記第２無線通信を行うための携帯端末側第２通信手段と、
携帯端末側制御手段と
を備え、
前記携帯端末側制御手段は、
前記第２無線通信における前記携帯端末の通信情報を前記第１無線通信により前記画像記録装置に送信する携帯端末側第１送信処理、及び前記第２無線通信における前記画像記録装置の通信情報を前記第１無線通信により前記画像記録装置から受信する携帯端末側第１受信処理の少なくとも一方と、
前記携帯端末側第１送信処理において自身の通信情報を送信した、及び前記携帯端末側第１受信処理によりその通信情報を受信した、少なくとも一方の画像記録装置との間で前記第２無線通信を確立する携帯端末側通信確立処理と、
前記携帯端末側記憶手段に記憶された前記画像ファイルを識別するファイル識別情報及び記録設定値を指定した記録要求を、前記第１無線通信により前記画像記録装置に送信する携帯端末側第２送信処理と、
前記送信要求を前記画像記録装置から前記第１無線通信、及び前記携帯端末側通信確立処理において確立した前記第２無線通信の何れかにより受信した場合に、当該送信要求に係る画像ファイルを、前記携帯端末側通信確立処理において確立した前記第２無線通信により前記画像記録装置に送信する携帯端末側第３送信処理と
を実行することを特徴とする画像記録システム。
【発明の詳細な説明】
【技術分野】
【０００１】
本発明は、画像記録装置、及び画像記録システムに関する。
【背景技術】
【０００２】
従来、携帯端末から画像記録装置へと画像データ（画像ファイル）を送信し、画像記録装置において画像データに係る画像を記録する画像記録システムがある。一例として、特許文献１には、携帯端末装置（携帯端末）と複合機（画像記録装置）とからなるシステムにおいて、２つの通信方式を用いて画像データを送信することが記載されている。まず、一方の通信方式である、ＮＦＣ（Near Field Communication）と呼ばれる非接触ＩＣ用無線通信規格による通信方式に基づき、他方の通信方式であるブルートゥース（登録商標）用の通信設定情報が携帯端末装置から複合機へと送信される。複合機は、携帯端末装置から受信した通信設定情報に基づき、携帯端末装置との間にブルートゥース通信を確立させる。その後、携帯端末装置が、ブルートゥース通信により、画像データを複合機へと送信する。複合機は、画像データに基づき、記録媒体に画像を記録する。
【先行技術文献】
【特許文献】
【０００３】
【特許文献１】特開２００９−１３５８６５号公報
【発明の概要】
【発明が解決しようとする課題】
【０００４】
上記のような画像記録システムにおいて、一度、携帯端末から画像記録装置へと画像記録を要求した後に、同じ画像に関して画像記録を再度要求する場合がある。この再要求の際にも携帯端末から画像記録装置に画像ファイルを送信しなければならないと、データ通信にかかる時間や電力が過大になるおそれがある。
【０００５】
そこで、本発明の目的は、データ通信にかかる時間や電力を抑制可能な、画像記録装置、及び画像記録システムを提供することである。
【課題を解決するための手段】
【０００６】
上記の課題を解決するために、本発明の画像記録装置は、記録媒体に画像を記録する記録手段と、装置間の距離が所定の通信可能距離内となる場合に確立される第１無線通信を行うための記録装置側第１通信手段と、送信元及び受信元の装置のそれぞれに係る通信情報に基づいて確立される、前記第１無線通信よりも通信速度が速い第２無線通信を行うための記録装置側第２通信手段と、画像ファイルを記憶し、且つ、この画像ファイルに、当該画像ファイルを識別するファイル識別情報、及び当該画像ファイルに基づいて画像を記録する際に設定可能な記録設定値を関連付けて記憶する記録装置側記憶手段と、記録装置側制御手段と、を備え、前記記録装置側制御手段は、ファイル識別情報及び記録設定値を指定した記録要求を、前記第１無線通信により携帯端末から受信する記録装置側第１受信処理と、前記第２無線通信における自身の通信情報を前記第１無線通信により前記携帯端末へ送信する記録装置側送信処理、及び前記第２無線通信における前記携帯端末の通信情報を前記第１無線通信により受信する記録装置側第２受信処理の少なくとも一方と、前記携帯端末から受信した記録要求により指定される、ファイル識別情報及び記録設定値に関連づけられた画像ファイルが、前記記録装置側記憶手段に記憶されているか否かを判断する判断処理と、前記記録装置側送信処理において自身の通信情報を送信した、及び前記記録装置側第２受信処理によりその通信情報を受信した、少なくとも一方の携帯端末との間で前記第２無線通信を確立する通信確立処理と、前記判断処理において、前記記録要求により指定される、ファイル識別情報及び記録設定値に関連づけられた画像ファイルが前記記録装置側記憶手段に記憶されていないと判断した場合に、当該ファイル識別情報により識別される画像ファイルを、前記通信確立処理において確立した前記第２無線通信により前記携帯端末から受信する記録装置側第３受信処理と、前記記録装置側第１受信処理において受信したファイル識別情報により識別される画像ファイル、及び記録設定値に基づいて前記記録手段に画像を記録させる記録処理と、を実行することを特徴とする。
【０００８】
本発明の画像記録システムは、携帯端末と、記録媒体に画像を記録する画像記録装置とを有する画像記録システムであって、前記画像記録装置は、記録媒体に画像を記録する記録手段と、装置間の距離が所定の通信可能距離内となる場合に確立される第１無線通信を行うための記録装置側第１通信手段と、送信元及び受信元の装置のそれぞれに係る通信情報に基づいて確立される、前記第１無線通信よりも通信速度が速い第２無線通信を行うための記録装置側第２通信手段と、画像ファイルを記憶し、且つ、この画像ファイルに、当該画像ファイルを識別するファイル識別情報、及び当該画像ファイルに基づいて画像を記録する際に設定可能な記録設定値を関連付けて記憶する記録装置側記憶手段と、記録装置側制御手段と、を備え、前記記録装置側制御手段は、ファイル識別情報及び記録設定値を指定した記録要求を、前記第１無線通信により前記携帯端末から受信する記録装置側第１受信処理と、前記第２無線通信における自身の通信情報を前記第１無線通信により前記携帯端末へ送信する記録装置側第１送信処理、及び前記第２無線通信における前記携帯端末の通信情報を前記第１無線通信により受信する記録装置側第２受信処理の少なくとも一方と、前記記録装置側第１送信処理において自身の通信情報を送信した、及び前記記録装置側第２受信処理によりその通信情報を受信した、少なくとも一方の携帯端末との間で前記第２無線通信を確立する記録装置側通信確立処理と、前記携帯端末から受信した記録要求により指定される、ファイル識別情報及び記録設定値に関連づけられた画像ファイルが、前記記録装置側記憶手段に記憶されているか否かを判断する判断処理と、前記判断処理において、前記記録要求により指定される、ファイル識別情報及び記録設定値に関連づけられた画像ファイルが前記記録装置側記憶手段に記憶されていないと判断した場合に、当該ファイル識別情報により識別される画像ファイルの送信要求を、前記第１無線通信、及び前記記録装置側通信確立処理において確立した前記第２無線通信の何れかにより前記携帯端末に送信する記録装置側第２送信処理と、前記送信要求に応じて前記携帯端末から送信される画像ファイルを、前記記録装置側通信確立処理において確立した前記第２無線通信により受信する記録装置側第３受信処理と、前記記録装置側第１受信処理において受信したファイル識別情報により識別される画像ファイル、及び記録設定値に基づいて前記記録手段に画像を記録させる記録処理と、を実行し、前記携帯端末は、画像ファイルを、当該画像ファイルを識別するファイル識別情報に関連づけて記憶する携帯端末側記憶手段と、前記第１無線通信を行うための携帯端末側第１通信手段と、前記第２無線通信を行うための携帯端末側第２通信手段と、携帯端末側制御手段とを備え、前記携帯端末側制御手段は、前記第２無線通信における前記携帯端末の通信情報を前記第１無線通信により前記画像記録装置に送信する携帯端末側第１送信処理、及び前記第２無線通信における前記画像記録装置の通信情報を前記第１無線通信により前記画像記録装置から受信する携帯端末側第１受信処理の少なくとも一方と、前記携帯端末側第１送信処理において自身の通信情報を送信した、及び前記携帯端末側第１受信処理によりその通信情報を受信した、少なくとも一方の画像記録装置との間で前記第２無線通信を確立する携帯端末側通信確立処理と、前記携帯端末側記憶手段に記憶された前記画像ファイルを識別するファイル識別情報及び記録設定値を指定した記録要求を、前記第１無線通信により前記画像記録装置に送信する携帯端末側第２送信処理と、前記送信要求を前記画像記録装置から前記第１無線通信、及び前記携帯端末側通信確立処理において確立した前記第２無線通信の何れかによりにより受信した場合に、当該送信要求に係る画像ファイルを、前記携帯端末側通信確立処理において確立した前記第２無線通信により前記画像記録装置に送信する携帯端末側第３送信処理とを実行することを特徴とする。
【０００９】
画像記録装置に保存された画像ファイルを使用できるのは、携帯端末から受信した記録要求により指定される記録設定値にその画像ファイルが対応できる場合である。つまり、その画像ファイルに係る画像を、記録設定値に従って画像記録できる場合である。本発明では、画像記録装置は、携帯端末から受信した記録要求により指定されるファイル識別情報及び記録設定値に関連付けられた画像ファイルを記憶しているか否かを判断する。そして、記憶していると判断した場合には、あらためて第２無線通信により携帯端末から画像ファイルを受信する必要がない。一方、記憶していないと判断した場合に、画像記録装置は第２無線通信により携帯端末から画像ファイルを受信できる。このように、必要なときにのみ、携帯端末から画像記録装置へと画像ファイルが送信されるため、データ通信にかかる時間や電力が抑制される。
【００１０】
また、本発明の画像記録装置において、前記記録装置側制御手段は、前記記録処理において、前記記録要求によって指定されたファイル識別情報により識別される画像ファイルに、当該記録要求によって指定された記録設定値を反映して得られる画像ファイルである設定反映画像ファイルが示す画像を前記記録手段に記録させ、前記設定反映画像ファイルを、当該設定反映画像ファイルを識別するファイル識別情報、及び当該設定反映画像ファイルに基づいて画像を記録する際に、設定可能な記録設定値に関連づけて前記記録装置側記憶手段に記憶する第１記憶処理を実行してもよい。上記の構成によれば、画像記録装置には、設定反映画像ファイルが記憶されているので、再度、同じ又は類似の記録設定値を指定した記録要求を受信した場合は、記録処理を早く開始することができる。
【００１１】
また、本発明の画像記録装置において、前記設定反映画像ファイルは、画像を構成する画素ごとに階調値情報を含む画素情報を示すデータであり、前記記録装置側制御手段は、前記第１記憶処理において、前記設定反映画像ファイルにおける前記画素情報を変更せずに当該設定反映画像ファイルを用いて前記記録処理を行える記録設定値、及び、前記設定反映画像ファイルにおける前記画素情報が示す値に所定の演算を施すことにより得られる画像ファイルを用いて前記記録処理を行える記録設定値を、前記設定反映画像ファイルに関連づけて前記記録装置側記憶手段に記憶してもよい。設定反映画像ファイルを直接用いて記録処理を行える場合、及び、設定反映画像ファイルに所定の演算処理を施すことで得られた画像ファイルに基づいて記録処理を行える場合では、携帯端末から受信した画像ファイルそのものから設定反映画像ファイルを生成して記録処理を行う場合と比べて、記録処理を開始するまでの時間を比較的早くすることができる。従って、このような設定反映画像ファイルを記録しておくことで、記録処理を早く開始することができる。
【００１２】
また、本発明の画像記録装置において、前記記録装置側制御手段は、前記携帯端末から受信した前記画像ファイルにレンダリング処理を施すことが可能であり、前記記録装置側第３受信処理により受信する画像ファイルは、レンダリング処理前のファイルであり、前記設定反映画像ファイルは、レンダリング処理後の画像ファイルであってもよい。設定反映画像ファイルはレンダリング処理後の画像ファイルであるため、このような設定反映画像ファイルを記憶しておくことで、再度、同じ又は類似の記録設定値を指定した記録要求を受信した場合は、レンダリング処理を行わずに記録処理を開始することができる。
【００１３】
また、本発明の画像記録装置において、前記記録装置側制御手段は、前記携帯端末から記憶指令を受信することに応じて、前記記録装置側第３受信処理において受信する画像ファイルを、当該画像ファイルを識別するファイル識別情報、及び全ての記録設定値に関連づけて前記記録装置側記憶手段に記憶する第２記憶処理を実行し、前記記録装置側記憶手段に記憶された画像ファイルのうち、前記第１記憶処理において記憶された画像ファイルについては時間経過に応じて自動的に消去する一方、前記記録装置側記憶手段に記憶された前記画像ファイルのうち、前記第２記憶処理において記憶されたファイルについては時間経過に応じた自動的な消去を行わなくてもよい。上記の構成によれば、画像記録装置が携帯端末から受信した画像ファイルについては、時間経過に応じて自動的に消去されないため、再度の記録要求の際に、確実に画像ファイルを再利用することができる。
【００１４】
また、本発明の画像記録装置において、前記記録装置側制御手段は、前記判断処理において、前記記録要求により指定される、ファイル識別情報及び記録設定値に関連づけられた画像ファイルが前記記録装置側記憶手段に記憶されていると判断した場合には、前記記録処理において、この記録装置側記憶手段に記憶されている、前記記録要求により指定される、ファイル識別情報及び記録設定値に関連づけられた画像ファイルに基づいて前記記録手段に画像を記録させてもよい。上記の構成によれば、記録要求により指定される、ファイル識別情報及び記録設定値に関連付けられた画像ファイルが記憶されている場合には、この記憶されている画像ファイルに基づいて記録処理が行われるため、あらためて携帯端末から画像ファイルを受信する必要がなく、データ通信にかかる時間や電力を確実に抑制することができる。                                                                     
【発明の効果】
【００１５】
本発明によると、データ通信にかかる時間や電力を抑制することができる。
【図面の簡単な説明】
【００１６】
【図１】一実施形態に係る画像記録システムの電気的構成図である。
【図２】（ａ）は記録要求のデータ構造について説明する図であり、（ｂ）はＭＦＰの記録設定値について説明する図であり、（ｃ）は送信要求のデータ構造について説明する図である。
【図３】画像ファイル関連情報について説明する図である。
【図４】図１に示す携帯端末の動作フロー図である。
【図５】図１に示すＭＦＰの動作フロー図である。
【図６】携帯端末とＭＦＰとの間のデータ通信の手順を示すシーケンス図である
【発明を実施するための形態】
【００１７】
［画像記録システムの全体構成］
以下、本発明の一実施形態に係る画像記録システムについて、図面を参照しつつ説明する。画像記録システム１は、図１に示すように、携帯電話機やＰＤＡ(Personal Digital Assistants)等の携帯端末１０と、画像読取機能及び画像記録機能を有する複合機(MFP:Multi Function Peripheral)１００（画像記録装置の一例）とを備えている。
【００１８】
携帯端末１０とＭＦＰ１００とは、ＮＦＣ方式による無線通信（第１無線通信の一例）、及びＷｉ−Ｆｉ(Wireless Fidelity：登録商標）方式による無線通信（第２無線通信の一例）によって、互いにデータの送受信が可能となっている。
【００１９】
ＮＦＣ方式による無線通信（以下、ＮＦＣ通信）は、１０ｃｍ程度の極近距離を通信可能距離とする無線通信であり、携帯端末１０とＭＦＰ１００とを近接（又は接触）させることで通信が確立される。また、ＮＦＣ通信は、Ｗｉ−Ｆｉ方式による無線通信（以下、Ｗｉ−Ｆｉ通信）と比べて、通信速度が遅いため、比較的小容量のデータの通信に用いられる。なお、ＮＦＣ通信の場合、その通信可能距離の物理的制限から通信相手の特定が容易であり、その分、通信の確立が、Ｗｉ−Ｆｉ通信の場合よりも容易である。つまり、ユーザは、携帯端末１０を通信相手となるＭＦＰ１００に近接させる必要があるが、その行為自体が通信相手を指定することになる。
【００２０】
一方、Ｗｉ−Ｆｉ通信は、通信可能距離が数メートル〜数十メートル程度のローカルな無線通信である。このＷｉ−Ｆｉ通信には、図示しないアクセスポイントを介して行われる通常のＷｉ−Ｆｉ方式と、アクセスポイントを介さず、二つの装置が１対１で通信するＷｉ−Ｆｉダイレクト方式とがある。本実施形態では、携帯端末１０とＭＦＰ１００とがＷｉ−Ｆｉダイレクト方式による通信（以下、ＷＦＤ通信）によりデータ通信をする場合を例にして説明する。なお、携帯端末１０とＭＦＰ１００とが通常のＷｉ−Ｆｉ方式によってデータ通信してもよい。
【００２１】
ＷＦＤ通信は、ネットワークを構築し、そのネットワーク内でデータの受け渡しを可能にする通信方式である。そのため、送信元及び受信元の装置間でデータ通信を行うにはネットワークを構築する必要がある。そこで、本実施形態の画像記録システム１では、携帯端末１０とＭＦＰ１００との間でＮＦＣ通信が確立されたときに、ＷＦＤ通信を確立するための通信情報を、携帯端末１０とＭＦＰ１００との間で送受信する。この通信情報には、ＳＳＩＤ(Service Set Identifier)、パスワード、ＩＰ(Internet Protocol)アドレスなどの情報が含まれる。なお、この通信情報はパスワードを含んでいなくてもよい。そして、携帯端末１０とＭＦＰ１００とは、この通信情報に基づいてＷＦＤ通信を確立し、これら装置間の通信を、ＮＦＣ通信からＷＦＤ通信に切り替えるように構成されている（いわゆる、ハンドオーバーが行われるように構成されている）。
【００２２】
詳細は後述するが、携帯端末１０は、ＭＦＰ１００との間でＮＦＣ通信が開始されたことをトリガとして、当該携帯端末１０が記憶している画像ファイルに基づく画像の記録要求をＭＦＰ１００に送信し、当該画像ファイルに基づく画像をＭＦＰ１００に記録させることが可能に構成されている。なお、携帯端末１０からＭＦＰ１００への画像ファイルの送信は、通信速度がＮＦＣ通信よりも速いＷＦＤ通信により行われる。また、画像ファイルを受信したＭＦＰ１００では、所定の記録条件に従って設定反映画像ファイル（詳細は後述する）を生成し、この生成した設定反映画像ファイルに基づいて画像記録が行われる。以下、携帯端末１０とＭＦＰ１００との間で開始されたＮＦＣ通信をトリガとして行われる画像記録を「ＮＦＣ記録」と称す。
【００２３】
ところで、ＮＦＣ記録において、携帯端末１０からＭＦＰ１００へと画像の記録要求した後に、同じ画像ファイルに関して再度、記録要求する場合がある。この再度、記録要求をする際にも携帯端末１０からＭＦＰ１００に画像ファイルを送信するとなると、データ通信にかかる時間や電力が過大になるおそれがある。
【００２４】
そこで、本実施形態では、ＭＦＰ１００において生成された設定反映画像ファイルについては、画像記録後においても、当該設定反映画像ファイルをＭＦＰ１００に記憶しておく。そして、再度、記録要求する際において、ＭＦＰ１００に記憶されている設定反映画像ファイルを用いて画像記録を行うことができる場合には、携帯端末１０からＭＦＰ１００へ画像ファイルを送信せずに、当該設定反映画像ファイルに基づいて画像記録を行うように構成されている。これにより、本実施形態に係る画像記録システム１では、データ通信にかかる時間や電力を抑制することを可能としている。以下、携帯端末１０及びＭＦＰ１００の構成について詳細に説明する。
【００２５】
［携帯端末の構成］
続いて、携帯端末１０の概略構成について説明する。携帯端末１０は、ＣＰＵ(Central Processing Unit）１１、記憶部１２、操作キー１４、ＬＣＤ１５、タッチパネル１６、音声入出力部１７、電話網通信部１８、撮影部１９、ＮＦＣ通信部２１、及びＷｉ−Ｆｉ通信部２２を主に備える。これらの各部は、バス２５を介して互いに接続されている。
【００２６】
ＣＰＵ１１は、記憶部１２等に記憶される固定値やプログラム等に従って、バス２５と接続された各部を制御する。記憶部１２は、例えば、ＲＡＭ(Random Access Memory)、ＲＯＭ(Read Only Memory)、ＨＤＤ(Hard Disk Drive)、バッファ等、或いはそれらの組み合わせによって構成されている。この記憶部１２は、画像ファイル記憶領域１２ａ、プログラム記憶領域１２ｂ、及び通信情報記憶領域１２ｃを有する。各記憶領域１２ａ〜１２ｃについては後述する。
【００２７】
操作キー１４は、例えば、携帯端末１０の筺体に設けられたメカニカルキーであり、各種の指示をユーザから受け付ける。ＬＣＤ１５は、各種画面を表示する液晶表示装置である。タッチパネル１６は、ＬＣＤ１５に重ねて設けられ、ユーザからの指示を受け付ける。音声入出力部１７は、マイクやスピーカなどで構成された音声入出力用デバイスである。電話網通信部１８は、携帯電話網（図示せず）を介した通話を行うための回路である。撮影部１９は撮影レンズ及び撮像素子を備え、被写体像を捉えて画像ファイルを生成する。
【００２８】
ＮＦＣ通信部２１は、ＩＳＯ／ＩＥＣ２１４８１又はＩＳＯ／ＩＥＣ１８０９２の国際標準規格に基づいて、ＮＦＣ通信を可能にするインターフェースである。携帯端末１０は、このＮＦＣ通信部２１を介して外部装置との間でＮＦＣ通信によるデータ通信を行う。Ｗｉ−Ｆｉ通信部２２は、ＩＥＥＥの８０２．１１の規格及びそれに準ずる規格に基づいて、ＷＦＤ通信を可能にするインターフェースである。携帯端末１０は、Ｗｉ−Ｆｉ通信部２２を介して外部装置との間でＷＦＤ通信によるデータ通信を行う。
【００２９】
次に、記憶部１２の各記憶領域１２ａ〜１２ｃについて説明する。画像ファイル記憶領域１２ａには、ＣＰＵ１１が後述するデータ生成アプリ１３ｂを実行することで起動されるアプリケーション上で生成された文章データやプレゼンテーションデータなどの画像ファイルや、撮影部１９により生成された画像ファイルなどが記憶される。この画像ファイル記憶領域１２ａに記憶される画像ファイルの形式は、ＢＭＰやＪＰＥＧなどの形式や、ベクター形式など種々の形式である。また、画像ファイル記憶領域１２ａでは、この画像ファイルと、当該画像ファイルを識別するためのファイル識別情報（ファイルＩＤ等）が互いに関連付けられて記憶されている。以下、画像ファイル記憶領域１２ａに記憶される画像ファイルの種類がＪＰＥＧであるものとして説明する。
【００３０】
通信情報記憶領域１２ｃには、ＭＦＰ１００などの外部装置との間でＷＦＤ通信を確立させるための通信情報が記憶されている。この通信情報には、ＳＳＩＤ、パスワード、携帯端末１０のＩＰアドレスなどの固有情報が含まれる。
【００３１】
プログラム記憶領域１２ｂには、オペレーティングシステム１３ａ（以下、ＯＳ１３ａ）、データ生成アプリケーション１３ｂ（以下、データ生成アプリ１３ｂ）、ＭＦＰ制御アプリケーション１３ｃ（以下、制御アプリ１３ｃ）など各種のプログラムが記憶されている。ＯＳ１３ａは、携帯端末１０の標準機能を実現するための基本ソフトウェアである。データ生成アプリ１３ｂは、文章データやプレゼンテーションデータを作成するためのアプリケーションである。また、制御アプリ１３ｃは、ＭＦＰ１００のベンダによって提供されるアプリケーションであって、ユーザによって携帯端末１０にインストールされ、携帯端末１０からＭＦＰ１００の制御を可能とする。例えば、パーソナルコンピュータ（ＰＣ）などを経由せずに、携帯端末１０から直接、ＭＦＰ１００の画像記録機能や画像読取機能などを利用することを可能にする。
【００３２】
また、ＣＰＵ１１は、制御アプリ１３ｃを実行することで上述のＮＦＣ記録に係る携帯端末側の処理を実行することが可能である。このＮＦＣ記録に係る携帯端末側の処理には、ＭＦＰ１００に対してＮＦＣ通信により記録要求を送信する処理、画像ファイル記憶領域１２ａに記憶された画像ファイルをＷＦＤ通信によりＭＦＰ１００に送信する処理などが含まれる。なお、この記録要求には、図２（ａ）に示すように、記録対象となる画像ファイルを識別するためのファイル識別情報、ＭＦＰ１００にて記録対象となる画像ファイルに基づいて画像を記録する際の記録条件となる記録設定値を示す記録設定値情報、画像ファイルをＭＦＰ１００に記憶するか否かを示すファイル記憶要否情報等が含まれる。ＮＦＣ記録に係る携帯端末側の処理については、後で詳細に説明する。
【００３３】
［ＭＦＰの構成］
次に、ＭＦＰ１００の概略構成について説明する。ＭＦＰ１００は、図１に示すように、ＣＰＵ１１１、記憶部１１２、操作キー１１４、ＬＣＤ１１５、タッチパネル１１６、画像読取部１１７、画像記録部１１８、画像処理ＡＳＩＣ（Application Specific Integrated Circuit)１１９、ＮＦＣ通信部１２１、及びＷｉ−Ｆｉ通信部１２２を備えている。これらの各部は、バス１２５を介して互いに接続されている。
【００３４】
ＣＰＵ１１１は、記憶部１１２に記憶される固定値やプログラムに従って、ＭＦＰ１００が有している各機能の制御や、バス１２５と接続された各部を制御する。記憶部１１２は、例えば、ＲＡＭ、ＲＯＭ、ＨＤＤ、バッファ等、或いはそれらの組み合わせによって構成されている。この記憶部１１２は、画像ファイル記憶領域１１２ａ、プログラム記憶領域１１２ｂ、及び通信情報記憶領域１１２ｃを有する。各記憶領域１１２ａ〜１１２ｃについては後述する。
【００３５】
操作キー１１４は、ＭＦＰ１００の筐体に設けられるメカニカルキーであり、各種指示をユーザから受け付ける。ＬＣＤ１１５は、液晶表示装置であり、各種画面を表示する。タッチパネル１１６は、ＬＣＤ１５に重ねて設けられ、ユーザからの指示を受け付ける。
【００３６】
画像読取部１１７は、原稿を読み取って画像ファイルを生成するスキャナ機構である。画像記録部１１８は、インクジェット方式、或いはレーザ方式の画像記録機構であり、所定の記録条件に従って、後述する設定反映画像ファイルに基づく画像を用紙に記録する。以下では、画像記録部１１８は、シアン、マゼンタ、イエロー、及びブラックの４色のインクを吐出可能なインクジェットヘッドを備え、４階調の画像記録が可能なインクジェット方式の画像記録機構であるものとして説明する。
【００３７】
ここで、本実施形態では、画像記録部１１８の記録条件の設定項目として、図２（ｂ）に示すように、「用紙サイズ」、「カラー／モノクロ」、「画質」、及び「Ｎｉｎ１」の計４つの設定項目がある。「用紙サイズ」は、画像を記録する用紙のサイズを設定するための設定項目であり、対応する記録設定値として、複数の定型用紙サイズ（Ａ４、レター、Ｂ５、ハガキなど）がある。「カラー／モノクロ」は、用紙に形成する画像をカラー及びモノクロの何れで記録するかを設定するための設定項目であり、対応する記録設定値として、「カラー」、「モノクロ」の計２つある。「画質」は用紙に形成する画像の品質（解像度）に係る設定項目であり、対応する記録設定値として、「きれい」、「ふつう」、「粗い」の計３つある。「Ｎｉｎ１」は、１枚の用紙に割り付ける画像ファイルにおける原稿のページ数Ｎを設定するための設定項目であり、対応する記録設定値として、「なし（１ｉｎ１）」、「２ｉｎ１」、「９ｉｎ１」、「１６ｉｎ１」の計４つある。
【００３８】
画像処理ＡＳＩＣ１１９は、携帯端末１０から受信した画像ファイル、又は、記憶部１１２の画像ファイル記憶領域１１２ａに記憶された画像ファイルに対して、レンダリング処理、色変換処理、及び、量子化処理を順に行うことで、画像記録用の設定反映画像ファイルを生成するための回路である。レンダリング処理は、例えば、携帯端末１０から受信したＪＰＥＧ形式の画像ファイルをラスター形式に展開し、この後、記録要求に指定された記録設定値に従い、サイズ調整のため解像度変換を行なったり、カラー形式の画像ファイルをモノクロ化したり、複数のページを集約するレイアウト処理などを行うことで、ＲＧＢ表色系で表されたＲＧＢデータ（ＲＧＢビットマップデータ）を生成する処理である。このＲＧＢデータは、画像を構成する各画素を、例えば、２５６階調のＲＧＢ値で表した画像ファイルである。
【００３９】
色変換処理は、レンダリング処理により生成されたＲＧＢデータを、ＣＭＹＫ表色で表されたＣＭＹＫデータに変換する処理である。ＣＭＹＫデータは、画像記録部１１８のインクジェットヘッドから吐出されるインク４色にそれぞれに対応した、Ｃ値、Ｍ値、Ｙ値、Ｋ値を含む２５６階調のＣＭＹＫ値により、画像を構成する各画素を表した画像ファイルである。
【００４０】
量子化処理は、２５６階調のＣＭＹＫデータから低階調の設定反映画像ファイルを生成する処理である。本実施形態では、画像記録部１１８が上述したように４階調の画像記録が可能な機構であるため、この設定反映画像ファイルは、各画素が、４階調のＣ値、Ｍ値、Ｙ値、Ｋ値で表された画像ファイルとなる。
【００４１】
以上のように、設定反映画像ファイルは、携帯端末１０から受信した上記の記録要求により指定された記録設定値を反映して得られる画像ファイルであり、画像を構成する画素ごとに階調値情報を含む画素情報を示すデータである。例えば、記録指令により指定された「カラー／モノクロ」の記録設定値が「カラー」である場合には、画像処理ＡＳＩＣ１１９により生成される設定反映画像ファイルは、画素各々について各色成分の階調値が設定された画像ファイルとなる。
【００４２】
以下、携帯端末１０から受信した、画像処理ＡＳＩＣ１１９による画像処理前の画像ファイルを「未処理画像ファイル」、画像処理ＡＳＩＣ１１９による画像処理後の画像ファイルを「設定反映画像ファイル」と称す。また、「未処理画像ファイル」及び「設定反映画像ファイル」について特に区別しない場合には、単に「画像ファイル」と称す。
【００４３】
図１に戻って、ＮＦＣ通信部１２１は、上述の携帯端末１０のＮＦＣ通信部２１と同じく、ＮＦＣ通信を行うためのインターフェースである。ＭＦＰ１００は、このＮＦＣ通信部１２１を介して携帯端末１０等の外部装置との間でＮＦＣ通信を確立し、このＮＦＣ通信によるデータ通信を行う。
【００４４】
ここで、携帯端末１０とＭＦＰ１００との間でＮＦＣ通信が確立した状態とは、携帯端末１０のＣＰＵ１１と、ＭＦＰ１００のＣＰＵ１１１とが、ＮＦＣ通信部２１及びＮＦＣ通信部１２１間での相互通信が可能であると判断した状態のこと等をいう。例えば、本実施形態では、ＭＦＰ１００の電源がオンである間、ＭＦＰ１００のＮＦＣ通信部１２１は一定の時間間隔でポーリング信号を送信する。このポーリング信号には、ＮＦＣ通信を行うための必要な情報（例えば、通信規格に関する情報やＭＦＰ１００の認証情報など）が含まれている。ＭＦＰ１００のＮＦＣ通信部１２１と携帯端末１０のＮＦＣ通信部２１との距離が通信可能距離以内となる範囲まで、ユーザが携帯端末１０をＭＦＰ１００のＮＦＣ通信部１２１に接近させると、携帯端末１０のＮＦＣ通信部２１はＮＦＣ通信部１２１が送信するポーリング信号を受信する。そして、携帯端末１０は、受信したポーリング信号に含まれている情報に基づき、ＭＦＰ１００との間でＮＦＣ通信が可能と判断した場合に、レスポンス信号をＮＦＣ通信部２１からＭＦＰ１００に送信する。このレスポンス信号にはポーリング信号に対応する情報（例えば携帯端末１０の認証情報など）などが含まれており、このレスポンス信号をＮＦＣ通信で受信したＭＦＰ１００は携帯端末１０との間でＮＦＣ通信が可能と判断する。なお、これらの通信確立方法は公知の通信確立技術を用いることができる。
【００４５】
Ｗｉ−Ｆｉ通信部１２２は、上述の携帯端末１０のＷｉ−Ｆｉ通信部２２と同じく、Ｗｉ−Ｆｉ通信を行うためのインターフェースである。携帯端末１０とＭＦＰ１００との間で、ＷＦＤ通信を確立するための通信情報がＮＦＣ通信により送受信されることにより、この通信情報に基づいて、Ｗｉ−Ｆｉ通信部１２２と携帯端末１０のＷｉ−Ｆｉ通信部２２との間でＷＦＤ通信を確立することが可能となる。
【００４６】
次に、記憶部１１２の各記憶領域１１２ａ〜１１２ｃについて説明する。画像ファイル記憶領域１１２ａには、携帯端末１０から受信した未処理画像ファイルや、画像処理ＡＳＩＣ１１９により生成された設定反映画像ファイルである画像ファイルが記憶されている。この画像ファイル記憶領域１１２ａでは、図３に示すように、画像ファイル各々は、画像ファイル関連情報に関連付けられて記憶されている。画像ファイル関連情報は、ファイル識別情報、ファイル種別情報、記憶時刻情報、設定可能情報、及び現在設定情報を含む。
【００４７】
ファイル識別情報は、関連付けられた画像ファイルを識別するための情報である。ここで、携帯端末１０から受信した未処理画像ファイル、及びそれから派生して生成された設定反映画像ファイルには同じファイル識別情報が関連付けられる。
【００４８】
ファイル種別情報は、関連付けられた画像ファイルの種類が未処理画像ファイルか設定反映画像ファイルかを示す情報である。記憶時刻情報は、関連付けられた画像ファイルが記憶部１１２に記憶された時刻（以下、記憶時刻とも称す）を示す情報である。
【００４９】
設定可能情報は、上記記録条件に係る４つの設定項目各々について、関連付けられた画像ファイルに基づいて画像を記録する際に設定可能な記録設定値をそれぞれ示す情報である。より詳細には、設定可能な記録設定値とは、画像ファイルにおける画素情報を変更せずに当該画像ファイルを用いて記録処理を行える記録設定値、及び、画像ファイルにおける画素情報が示す値に所定の演算を施すことにより得られる画像ファイルを用いて記録処理を行える記録設定値のことである。上述したように、設定反映画像ファイルは、レンダリング処理後の画像ファイルであるため、そのレンダリング処理の内容によっては、反映可能な記録設定値には制限が生じる。一方で、未処理画像ファイルは、レンダリング処理前の画像ファイルであるため、反映可能な記録設定値に制限はなく、全ての記録設定値を設定可能である。従って、未処理画像ファイルは、図３に示すように、４つの設定項目各々の、全ての記録設定値に関連付けられて画像ファイル記憶領域１１２ａに記憶されている。以下、設定反映ファイルが設定可能な記録設定値について、設定項目毎に説明する。
【００５０】
「用紙サイズ」の設定項目については、ある記録設定値が反映された設定反映画像ファイルから、異なる記録設定値が反映された画像ファイルを生成することは可能である。従って、「用紙サイズ」の設定項目については、何れの記録設定値が反映された設定反映画像ファイルでも、全ての記録設定値（定型用紙サイズ）を設定可能である。
【００５１】
「カラー／モノクロ」の設定項目については、「カラー」の記録設定値を反映された設定反映画像ファイルは、「カラー」及び「モノクロ」の記録設定値を設定可能であるが、「モノクロ」の記録設定値を反映して生成された設定反映画像ファイルは、黒以外の色成分についての情報が欠落しているため、「モノクロ」の記録設定値のみ設定可能である。
【００５２】
「画質」の設定項目については、設定反映画像ファイルに反映されている記録設定値、及び、この反映されている記録設定値よりも画質が悪い（解像度が低い）記録設定値を設定可能である。例えば、「ふつう」の記録設定値が反映された設定反映画像ファイルについては、「ふつう」、及び「粗い」の記録設定値を設定可能である。
【００５３】
「Ｎｉｎ１」の設定項目については、「なし」の記録設定値が反映された設定反映画像ファイルは、全ての記録設定値を設定可能であるが、それ以外の記録設定値が反映された設定反映画像ファイルは、その反映された記録設定値のみ設定可能である。例えば、「２ｉｎ１」の記録設定値が反映された設定反映画像ファイルは、「２ｉｎ１」の記録設定値のみ設定可能である。
【００５４】
現在設定情報は、関連付けられた画像ファイルが設定反映画像ファイルである場合に、当該設定反映画像ファイルに現在反映されている記録設定値を示す情報である。即ち、現在設定情報は、設定反映画像ファイルが、画像処理ＡＳＩＣ１１９により生成されたときに設定されていた記録設定値を示す情報である。換言すれば、現在設定情報は、当該設定反映画像ファイルを生成する契機となった、携帯端末１０から受信した記録要求により指定されていた記録設定値を示す情報である。なお、本実施形態では、現在設定情報は、記録条件に係る４つの設定項目全ての記録設定値の情報を含んでいるが、上述したように、「用紙サイズ」の設定項目については、何れの記録設定値が反映された設定反映画像ファイルでも、全ての記録設定値を設定可能であるため、この「用紙サイズ」の設定項目の記録設定値の情報については含んでいなくてもよい。
【００５５】
図１に戻って、通信情報記憶領域１１２ｃには、携帯端末１０などの外部装置との間でＷＦＤ通信を確立させるための通信情報が記憶されている。この通信情報には、ＳＳＩＤ、パスワード、ＭＦＰ１００のＩＰアドレスなどの固有情報が含まれる。
【００５６】
プログラム記憶領域１１２ｂには、ＭＦＰ１００の標準機能を実現するための基本ソフトウェアであるオペレーティングシステム１１３ａ、及び、ＭＦＰ１００の各部を制御するための制御プログラム１１３ｂが記憶されている。
【００５７】
また、ＣＰＵ１１１は、制御プログラム１１３ｂを実行することで上述のＮＦＣ記録に係るＭＦＰ側の処理を実行することが可能である。このＭＦＰ側の処理には、記録処理や、送信要求送信処理などが含まれる。記録処理は、記録要求に従って画像記録部１１８に設定反映ファイルに基づく画像を記録させる処理である。送信要求送信処理は、記録要求により指定された、ファイル識別情報及び記録設定値に関連付けられた画像ファイルが画像ファイル記憶領域１１２ａに記憶されていない場合に、携帯端末１０に対して未処理画像ファイルの送信を要求する送信要求をＮＦＣ通信又はＷＦＤ通信により送信する処理である。この送信要求は、図２（ｃ）に示すように、送信を要求する未処理画像ファイルを識別するためのファイル識別情報を含んでいる。ＮＦＣ記録に係るＭＦＰ側の処理については、後で詳細に説明する。
【００５８】
（ＮＦＣ記録に係る携帯端末側の処理）
次に、携帯端末１０のＣＰＵ１１が、制御アプリ１３ｃを実行することで行われるＮＦＣ記録に係る携帯端末側の処理について、図４を参照しつつ詳細に説明する。なお、図４に示すフローの開始時における状態は、携帯端末１０のＮＦＣ通信部２１と、ＭＦＰ１００のＮＦＣ通信部１２１との間の距離が、ＮＦＣ通信の通信可能距離よりも離れている状態である。
【００５９】
まず、ＣＰＵ１１は、制御アプリ１３ｃを実行することでアプリケーションを起動する（Ａ１）。この後、ＣＰＵ１１は、記憶部１２に記憶された画像ファイルの中から、記録対象とする画像ファイルをユーザに選択させるための画像ファイル名のリスト等をＬＣＤ１５表示させ、操作キー１４又はタッチパネル１６を介して受け付けたユーザ指示に基づいて、記録対象とする画像ファイルを決定する（Ａ２）。
【００６０】
次に、ＣＰＵ１１は、記録対象の画像ファイルに基づく画像をＭＦＰ１００に記録させる際の記録条件を選択させるための画像をＬＣＤ１５に表示させ、操作キー１４又はタッチパネル１６を介して受け付けたユーザ指示に基づいて、記録対象とする画像ファイルの記録条件を決定し、その決定内容を示す記録設定値情報を生成する（Ａ３）。具体的には、「用紙サイズ」、「カラー／モノクロ」、「画質」、「Ｎｉｎ１」の計４つの設定項目各々について、ユーザ指示に基づいて、記録設定値の何れか１つを決定する。
【００６１】
次に、ＣＰＵ１１は、記録対象とする画像ファイルを、未処理画像ファイルの状態（本実施形態ではＪＰＥＧ形式の状態）で、記録処理後においてもＭＦＰ１００に記憶させるか否かをユーザに選択させるための画像をＬＣＤ１５に表示させ、操作キー１４又はタッチパネル１６を介して受け付けたユーザ指示に基づいて、未処理画像ファイルをＭＦＰ１００に記憶させるか否かを決定し、その決定内容を示すファイル記憶要否情報を生成する（Ａ４）。
【００６２】
次に、ユーザが携帯端末１０とＭＦＰ１００とをＮＦＣ通信の通信可能距離内へ近接させることで、携帯端末１０とＭＦＰ１００との間でＮＦＣ通信が確立される（Ａ５：ＹＥＳ）と、ＣＰＵ１１は、記録要求をＮＦＣ通信によりＭＦＰ１００に送信する（Ａ６）。この記録要求には、図２（ａ）に示すように、画像ファイル記憶領域１２ａにおいてＡ２の処理で決定した画像ファイルに関連付けられて記憶されているファイル識別情報、Ａ３の処理で生成した記録設定値情報、及び、Ａ４の処理で生成したファイル記憶要否情報が含まれる。
【００６３】
次に、ＣＰＵ１１は、通信情報記憶領域１２ｃに記憶されている、ＷＦＤ通信を確立するための通信情報をＮＦＣ通信によりＭＦＰ１００に送信し、且つ、ＭＦＰ１００から当該ＭＦＰ１００に係る通信情報を受信する（Ａ７）。次に、ＣＰＵ１１は、ＭＦＰ１００から未処理画像ファイルの送信要求を、ＮＦＣ通信及びＷＦＤ通信の何れかにより受信したか否かを判断する（Ａ８）。なお、ＭＦＰ１００からＷＦＤ通信により送信要求を受信する場合には、Ａ７とＡ８との処理間で、携帯端末１０とＭＦＰ１００との間でＷＦＤ通信を確立する処理が既に行われている。Ａ８の処理で、未処理画像ファイルの送信要求を受信していないと判断した場合（Ａ８：ＮＯ）には本処理を終了する。
【００６４】
一方で、未処理画像ファイルの送信要求を受信したと判断した場合（Ａ８：ＹＥＳ）には、ＣＰＵ１１は、ＷＦＤ通信が確立されていなければ（ＭＦＰ１００からＮＦＣ通信により送信要求を受信したときに限り）、Ａ７の処理でＭＦＰ１００との間で送受信した通信情報に基づき、ＭＦＰ１００との間でＷＦＤ通信を確立する（Ａ９）。そして、ＣＰＵ１１は、画像ファイル記憶領域１２ａに記憶された、送信要求に含まれるファイル識別情報に関連付けられた画像ファイルをＷＦＤ通信によりＭＦＰ１００に送信する（Ａ１０）。その後、ＣＰＵ１１は、ＭＦＰ１００との間のＷＦＤ通信を切断して（Ａ１１）、本処理を終了する。以上、ＮＦＣ記録に係る携帯端末側の処理について説明した。
【００６５】
（ＮＦＣ記録に係るＭＦＰ側の処理）
次に、ＭＦＰ１００のＣＰＵ１１１が、制御プログラム１１３ｂを実行することで行われるＮＦＣ記録に係るＭＦＰ側の処理について、図５を参照しつつ詳細に説明する。なお、図５に示すフローの開始時における状態は、携帯端末１０のＮＦＣ通信部２１と、ＭＦＰ１００のＮＦＣ通信部１２１との間の距離が、ＮＦＣ通信の通信可能距離よりも離れている状態である。
【００６６】
まず、ＣＰＵ１１１は、携帯端末１０との間でＮＦＣ通信が確立されたか否かを判断する（Ｂ１）。ＮＦＣ通信が確立されたと判断した場合（Ｂ１：ＹＥＳ）には、ＣＰＵ１１１は、携帯端末１０からＮＦＣ通信により記録要求を受信する（Ｂ２）。その後、ＣＰＵ１１１は、通信情報記憶領域１１２ｃに記憶されている、ＷＦＤ通信を確立するための通信情報をＮＦＣ通信により携帯端末１０に送信し、且つ、携帯端末１０から当該携帯端末に係る通信情報を受信する（Ｂ３）。
【００６７】
次に、ＣＰＵ１１１は、Ｂ２の処理で受信した記録要求により指定された、ファイル識別情報及び記録設定値に関連付けられた設定反映画像ファイルが、画像ファイル記憶領域１１２ａに記憶されているか否かを判断する（Ｂ４）。詳細には、ＣＰＵ１１１は、画像ファイル記憶領域１１２ａに記憶されている画像ファイル関連情報（図３参照）を参照して、記録要求により指定されたファイル識別情報と一致し、ファイル種別情報が設定反映画像ファイルを示し、且つ、記録要求により指定された記録設定値の全てが設定可能情報が示す記録設定値に含まれている画像ファイルが、画像ファイル記憶領域１１２ａに記憶されているか否かを判断する。
【００６８】
そして、設定反映画像ファイルが画像ファイル記憶領域１１２ａに記憶されていると判断した場合（Ｂ４：ＹＥＳ）には、ＣＰＵ１１１は、当該設定反映画像ファイルを、記録要求により指定された記録設定値に基づいて、画像処理ＡＳＩＣ１１９により画像処理を行う必要があるか否かを判断する（Ｂ５）。即ち、画像ファイル記憶領域１１２ａに記憶された設定反映画像ファイルを画像処理せずに、画像記録部１１８による画像記録に転用することができるか否かを判断する。具体的には、画像ファイル記憶領域１１２ａに記憶されている画像ファイル関連情報の現在設定情報を参照して、設定反映画像ファイルに反映された各設定項目についての記録設定値と、記録要求により指定された各設定項目についての記録設定値とが一致する場合に、当該設定反映画像ファイルは、画像記録部１１８による画像記録に転用することができると判断する。
【００６９】
画像ファイル記憶領域１１２ａに記憶された設定反映画像ファイルに対して画像処理を行う必要がないと判断した場合（Ｂ５：ＮＯ）には、Ｂ１３の処理に移る。一方で、設定反映画像ファイルに対して画像処理を行う必要があると判断した場合（Ｂ５：ＹＥＳ）には、ＣＰＵ１１１は、当該設定反映画像ファイルに対して、記録要求により指定される記録設定値に基づいて画像処理が行われるよう画像処理ＡＳＩＣ１１９を制御し、当該記録要求に指令された記録設定値が反映された新たな設定反映画像ファイルを生成して（Ｂ６）、Ｂ１３の処理に移る。
【００７０】
Ｂ４の処理において、記録要求により指定された、ファイル識別情報及び記録設定値に関連付けられた設定反映画像ファイルが、画像ファイル記憶領域１１２ａに記憶されていないと判断した場合（Ｂ４：ＮＯ）には、ＣＰＵ１１１は、記録要求により指定されたファイル識別情報に関連付けられた未処理画像ファイルが画像ファイル記憶領域１１２ａに記憶されているか否かを判断する（Ｂ７）。詳細には、ＣＰＵ１１１は、画像ファイル記憶領域１１２ａに記憶されている画像ファイル関連情報を参照して、記録要求により指定されたファイル識別情報と一致し、且つ、ファイル種別情報が未処理画像ファイルを示す画像ファイルが画像ファイル記憶領域１１２ａに記憶されているか否かを判断する。未処理画像ファイルが画像ファイル記憶領域１１２ａに記憶されていると判断した場合（Ｂ７：ＹＥＳ）には、Ｂ１２の処理に移る。
【００７１】
一方で、未処理画像ファイルが画像ファイル記憶領域１１２ａに記憶されていないと判断した場合（Ｂ７：ＮＯ）には、ＣＰＵ１１１は、未処理画像ファイルの送信要求をＮＦＣ通信により携帯端末１０に送信し（Ｂ８）、その後、Ｂ３の処理で携帯端末１０との間で送受信した通信情報に基づいて、携帯端末１０との間でＷＦＤ通信を確立する（Ｂ９）。その後、ＣＰＵ１１１は、送信要求に応じて携帯端末１０からＷＦＤ通信により送信される未処理画像ファイルを受信し（Ｂ１０）、携帯端末１０との間のＷＦＤ通信を切断する（Ｂ１１）。この処理が終了すると、Ｂ１２の処理に移る。
【００７２】
Ｂ１２の処理では、画像ファイル記憶領域１１２ａに記憶されている未処理画像ファイル、又はＢ１０の処理で携帯端末１０から受信した未処理画像ファイルに対して、記録要求により指定された記録設定値に基づくレンダリング処理等が行われるよう画像処理ＡＳＩＣ１１９を制御して、当該記録設定値が反映された設定反映画像ファイルを生成する。この処理が終了すると、Ｂ１３の処理に移る。
【００７３】
Ｂ１３の処理では、ＣＰＵ１１１は、画像記録部１１８を制御して、設定反映画像ファイルに基づく画像を、記録要求により指定された記録設定値に従い用紙に記録する記録処理を実行する。この後、ＣＰＵ１１１は、記録処理に用いた設定反映画像ファイルを画像ファイル記憶領域１１２ａに記憶し、且つ、当該設定反映画像ファイルに係る画像ファイル関連情報（即ち、ファイル識別情報、ファイル種別情報、設定可能情報、現在設定情報、記憶時刻情報）を生成し、この生成した画像ファイル関連情報を設定反映画像ファイルに関連付けて画像ファイル記憶領域１１２ａに記憶する（Ｂ１４）。
【００７４】
なお、画像ファイル記憶領域１１２ａに同じファイル識別情報に関連付けられた設定反映画像ファイルが複数ある場合には、ＣＰＵ１１１は、記憶時刻情報が示す記憶時刻が最も直近の設定反映画像ファイルのみを画像ファイル記憶領域１１２ａに記憶し、他の設定反映画像ファイルについては削除する。これにより、画像ファイル記憶領域１１２ａには、直近の記録要求により指定された記録設定値が反映された設定反映画像ファイルが記憶されることになる。ここで、再度、携帯端末１０から記録要求が行われたときにおいて、当該記録要求により指定された記録設定値と、直近の記録要求により指定された記録設定値とが同じ又は類似する可能性が比較的高い。このため、再度記録要求が行われたときに、画像ファイル記憶領域１１２ａに記憶された設定反映画像ファイルに対して画像処理をせずに、又は比較的簡易な画像処理を行うだけで、再度の記録要求により指定された記録設定値を反映した設定画像ファイルを得ることができ、その結果として、記録処理を開始するまでの時間を早めることができる。変形例として、画像ファイル記憶領域１１２ａに同じファイル識別情報に関連付けられた設定反映画像ファイルを複数記憶可能に構成されていてもよい。
【００７５】
次に、ＣＰＵ１１１は、記録要求のファイル記憶要否情報が、記録処理後においても未処理画像ファイルをＭＦＰ１００に記憶させることを示す情報であるか否か（未処理画像ファイルを記憶させる記憶指令であるか否か）を判断する（Ｂ１５）。ファイル記憶要否情報が未処理画像ファイルをＭＦＰ１００に記憶させることを示す情報ではないと判断した場合（Ｂ１５：ＮＯ）には、今回の記録要求よりも前の記録要求において送信された未処理画像ファイルが画像ファイル記憶領域１１２ａに記憶されているか否かを判断する（Ｂ１６）。そして、未処理画像ファイルが記憶されていないと判断した場合（Ｂ１６：ＮＯ）には、Ｂ１の処理に戻る。一方で、未処理画像ファイルが記憶されていると判断した場合（Ｂ１６：ＹＥＳ）には、当該未処理画像ファイルを画像ファイル記憶領域１１２ａから削除して（Ｂ１７）、Ｂ１の処理に戻る
【００７６】
Ｂ１５の処理において、記録要求に含まれるファイル記憶要否情報が、未処理画像ファイルをＭＦＰ１００に記憶させることを示す情報であると判断した場合（Ｂ１５：ＹＥＳ）には、ＣＰＵ１１１は、携帯端末１０から未処理画像ファイルを受信済みであるか否か（即ち、Ｂ８の処理を実行したか否か）を判断する（Ｂ１８）。未処理画像ファイルを受信済みと判断した場合（Ｂ１８：ＹＥＳ）には、Ｂ２３の処理に移る。一方で、未処理画像ファイルを受信していないと判断した場合（Ｂ１８：ＮＯ）には、ＣＰＵ１１１は、Ｂ３の処理で携帯端末１０との間で送受信した通信情報に基づいて、携帯端末１０との間でＷＦＤ通信を確立し（Ｂ１９）、この後、未処理画像ファイルの送信要求をＷＦＤ通信により携帯端末１０に送信する（Ｂ２０）。その後、ＣＰＵ１１１は、送信要求に応じて携帯端末１０からＷＦＤ通信により送信される未処理画像ファイルを受信し（Ｂ２１）、携帯端末１０との間のＷＦＤ通信を切断した後（Ｂ２２）、Ｂ２３の処理に移る。
【００７７】
Ｂ２３の処理では、ＣＰＵ１１１は、携帯端末１０から受信した未処理画像ファイルに係る画像ファイル関連情報を生成した後に、この未処理画像ファイル及び画像ファイル関連情報を互いに関連付けて画像ファイル記憶領域１１２ａに記憶する。このＢ２３の処理が終了すると、Ｂ１の処理に戻る。
【００７８】
一方、Ｂ１の処理で、ＮＦＣ通信が確立していないと判断した場合（Ｂ１：ＮＯ）には、ＣＰＵ１１１は、画像ファイル記憶領域１１２ａに記憶されている設定反映画像ファイルのうち、記憶時間が所定時間以上となる設定反映画像ファイルが存在するか否かを判断する（Ｂ２４）。詳細には、ＣＰＵ１１１は、画像ファイル記憶領域１１２ａに記憶されている画像ファイル関連情報を参照し、ファイル種別が設定反映画像ファイルを示す画像ファイルのうち、記憶時刻情報が示す記憶時刻から所定時間経過している画像ファイルが存在するか否かを判断する。そして、記憶時間が所定時間以上となる設定反映画像ファイルが存在しないと判断した場合（Ｂ２４：ＮＯ）には、Ｂ１の処理に戻る。
【００７９】
一方で、記憶時間が所定時間以上となる設定反映画像ファイルが存在すると判断した場合（Ｂ２４：ＹＥＳ）には、ＣＰＵ１１１は、当該設定反映画像ファイルを画像ファイル記憶領域１１２ａから削除する（Ｂ２５）。このように、本実施形態では、設定反映画像ファイルについては時間経過に応じて消去される一方で、未処理画像ファイルについては時間経過に応じた自動的な消去は行われない。上述したように、画像ファイル記憶領域１１２ａに記憶されている未処理画像ファイルについては、携帯端末１０のユーザがＭＦＰ１００に記憶するように指示した画像ファイルであるため、当該未処理画像ファイルについての記録要求が再度行われる可能性は比較的高い。このため、未処理画像ファイルを時間経過に応じた自動的な消去を行わずに画像ファイル記憶領域１１２ａに記憶させておくことで、携帯端末１０から再度記録要求が行われたときに、携帯端末１０からＭＦＰ１００への未処理画像ファイルの送信処理を行わずに、記録処理を実行することが可能である。一方で、設定反映画像ファイルについては、携帯端末１０のユーザがＭＦＰ１００に記憶するように指示した画像ファイルではないため、当該設定反映画像ファイルについての記録要求が再度行われる可能性は比較的低い。また、設定反映画像ファイルを消去せずに画像ファイル記憶領域１１２ａに記憶しておくと、記憶部１１２の記憶可能なデータ容量が逼迫するおそれがある。そこで、設定反映画像ファイルについては時間経過に応じて画像ファイル記憶領域１１２ａから自動的に消去することで、記憶部１１２の記憶可能なデータ容量が逼迫する可能性を低減することができる。このＢ２５の処理が終了すると、Ｂ１の処理に戻る。以上、ＮＦＣ記録に係るＭＦＰ側の処理について説明した。
【００８０】
（データ通信手順）
続いて、図６を参照しつつ、ＮＦＣ記録処理に係る、携帯端末１０とＭＦＰ１００との間における主なデータ通信手順について説明する。なお、図６中の「ＡＬＴ」は、分岐処理を示すフラグメントである。
【００８１】
ユーザが携帯端末１０をＭＦＰ１００に近接させることによりＮＦＣ通信が確立すると（Ｓ１）、携帯端末１０は、記録要求をＮＦＣ通信にてＭＦＰ１００に送信する（Ｓ２）。記録要求を受信したＭＦＰ１００は、当該記録要求により指定された、ファイル識別情報及び記録設定値に関連付けられた画像ファイルが画像ファイル記憶領域１１２ａに記憶されているか否かを判断する判断処理を実行する（Ｓ３）。
【００８２】
Ｓ３の判断処理で、画像ファイルが記憶されていると判断した場合には、ＭＦＰ１００は、当該画像ファイルに基づく画像を記録する記録処理を実行する（Ｓ４）。なお、このとき、画像ファイル記憶領域１１２ａに記憶されている画像ファイルを記録処理の前に画像処理をする必要がある場合には、ＭＦＰ１００は、当該画像ファイルを、記録要求により指定された記録設定値に基づき画像処理を行い、設定反映画像ファイルを生成する。そして、記録処理においては、この設定反映ファイルに基づく画像を記録する。このＳ４の処理が終了すると、Ｓ１０の処理に移る。
【００８３】
一方、Ｓ３の判断処理で、画像ファイルが記憶されていないと判断した場合には、ＭＦＰ１００は未処理画像ファイルの送信を要求する送信要求をＮＦＣ通信により携帯端末１０に送信する（Ｓ５）。その後、携帯端末１０とＭＦＰ１００との間でＷＦＤ通信を確立すると（Ｓ６）、携帯端末１０からＭＦＰ１００にＷＦＤ通信により未処理画像ファイルを送信し（Ｓ７）、この後、携帯端末１０とＭＦＰ１００との間のＷＦＤ通信を切断する（Ｓ８）。その後、ＭＦＰ１００は、受信した未処理画像ファイルを、記録要求により指定された記録設定値に従いレンダリング処理等を行うことにより、設定反映画像ファイルを生成し、当該設定反映画像ファイルに基づく画像を記録する記録処理を実行する（Ｓ９）。このＳ９の処理が終了すると、Ｓ１０の処理に移る。
【００８４】
Ｂ１０の処理では、ＭＦＰ１００は、記録処理の際に用いた設定反映画像ファイルを、ファイル識別情報、現在設定情報、及び設定可能情報を含む画像ファイル関連情報に関連付けて、画像ファイル記憶領域１１２ａに記憶する記憶処理を実行する。以上、ＮＦＣ記録処理に係る、携帯端末１０とＭＦＰ１００との間における主なデータ通信手順について説明した。
【００８５】
以上、本実施形態によると、ＭＦＰ１００は、携帯端末１０から受信した記録要求により指定されるファイル識別情報及び記録設定値に関連付けられた画像ファイルを記憶しているか否かを判断する。そして、記憶していると判断した場合に、ＭＦＰ１００は、その画像ファイル及び記録設定値に基づいて記録処理を行う。このため、あらためてＷＦＤ通信により携帯端末１０から未処理画像ファイルを受信する必要がない。一方、記憶していないと判断した場合に、携帯端末１０とＭＦＰ１００とはＷＦＤ通信を確立し、このＷＦＤ通信により携帯端末１０からＭＦＰ１００へと未処理画像ファイルが送信される。このように、必要なときにのみ、ＷＦＤ通信が確立されて、携帯端末１０からＭＦＰ１００へと未処理画像ファイルが送信されるため、データ通信にかかる時間や電力が抑制される。
【００８６】
また、ＭＦＰ１００には、記録処理に用いた設定反映画像ファイルが記憶されているので、再度、同じ又は類似の記録設定値を指定した記録要求を受信した場合は、記録処理を早く開始することができる。
【００８７】
以上、本発明の好適な実施形態について説明したが、本発明は上述の実施形態に限られるものではなく、特許請求の範囲に記載した限りにおいて様々な変更が可能なものである。従って、本発明の技術思想の範囲内において、上述の実施形態を組み合わせたり、一部の構成を変更したりしてもよい。例えば、上述の実施形態では、ＷＦＤ通信の確立に必要な通信情報は、携帯端末１０及びＭＦＰ１００の双方から他方に向けてそれぞれＮＦＣ通信により送信するように構成されていたいが、携帯端末１０及びＭＦＰ１００の少なくとも何れか一方から他方に向けてＮＦＣ通信により送信するように構成されていてもよい。この場合においても、携帯端末１０とＭＦＰ１００との間でＷＦＤ通信を確立させることができる。
【００８８】
また、上述の実施形態では、画像処理ＡＳＩＣ１１９が、携帯端末１０から受信した画像ファイル等に対して、レンダリング処理、色変換処理、及び、量子化処理を順に行うことで生成される画像ファイルを設定反映画像ファイルとしているが、色変換処理及び量子化処理を行う前であり、レンダリング処理後の画像ファイルを設定反映画像ファイルとしてもよい。
【００８９】
また、上述の実施形態では、ＭＦＰ１００が携帯端末１０から記録要求を受信したときに、この記録要求により指定されるファイル識別情報及び記録設定値に関連付けられた画像ファイルが記憶されていない場合には、ＮＦＣ通信により未処理画像ファイルの送信要求を行っていたが、ＷＦＤ通信により送信要求を行うように構成されていてもよい。
【００９０】
また、上述の実施形態では、ＭＦＰ１００の画像ファイル記憶領域１１２ａに記憶された未処理画像ファイルについては時間経過に応じて自動的に消去されないように構成されていたが、時間経過に応じて自動的に消去されるように構成されていてもよい。この場合、画像ファイル記憶領域１１２ａに記憶されてから削除するまでの時間は、未処理画像ファイルの方が設定反映画像ファイルよりも長くすることが好ましい。また、設定反映画像ファイルについては画像ファイル記憶領域１１２ａから時間的経過に応じた自動的な消去はせずに、その他の事象を契機として削除するように構成されていてもよい。加えて、上述の実施形態では、携帯端末１０から送信された記録要求のファイル記憶要否情報が未処理画像ファイルをＭＦＰ１００に記憶させることを示す情報ではない場合において、ＭＦＰ１００に当該未処理画像ファイルが既に記憶されている際には、この未処理画像ファイルをＭＦＰ１００から削除する構成にされているが、削除されないように構成されていてもよい。即ち、図５に示す動作フローにおいて、Ｂ１５の処理で、ＣＰＵ１１１が、記録要求のファイル記憶要否情報が未処理画像ファイルをＭＦＰ１００に記憶させることを示す情報ではないと判断した場合（Ｂ１５：ＮＯ）には、Ｂ１６及びＢ１７の処理をせずにＢ１の処理に移行してもよい。
【００９１】
また、上述の実施形態において、ＣＰＵが単一のＣＰＵにより各処理を実行してもよいし、複数のＣＰＵ、あるいは特定のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＣＰＵと特定のＡＳＩＣの組み合わせにより処理を実行してもよい。
【符号の説明】
【００９２】
１  画像記録システム
１０  携帯端末
１１  ＣＰＵ（携帯端末側制御手段）
１２  記憶部（携帯端末側記憶手段）
２１  ＮＦＣ通信部（携帯端末側第１通信手段）
２２  Ｗｉ−Ｆｉ通信部（携帯端末側第２通信手段）
１００  ＭＦＰ（画像記録装置）
１１１  ＣＰＵ（記録装置側制御手段の一部）
１１２  記憶部（記録装置側記憶手段）
１１８  画像記録部（記録手段）
１２１  ＮＦＣ通信部（記録装置側第１通信手段）
１２２  Ｗｉ−Ｆｉ通信部（記録装置側第２通信手段）
【図１】
0006515740.tif 000002
【図２】
0006515740.tif 000003
【図３】
0006515740.tif 000004
【図４】
0006515740.tif 000005
【図５】
0006515740.tif 000006
【図６】
0006515740.tif 000007